(57)【要約】【課題】  録画映像を一括管理可能とし、個々のインターホン親機に来訪者映像録画のための記憶部を設けなくて済むインターホンシステムを提供する。【解決手段】  カメラ１４の撮像映像を保存する録画装置３が接続され、録画装置３はインターホン子機１が任意のインターホン親機２を呼び出したらカメラ１４の撮像映像を保存し、インターホン親機２から保存映像の表示要求を受けたら保存映像の一覧を作成する録画装置ＣＰＵ３２を有し、保存映像の表示要求をしたインターホン親機２は、当該インターホン親機２を呼出先とした保存映像の一覧が表示される。【選択図】  図１
2015041916.tif 000002
【特許請求の範囲】
【請求項１】
訪問先を呼び出して通話する機能及び来訪者を撮像するカメラを備えた少なくとも１台のインターホン子機と、前記インターホン子機からの呼び出しに応答する機能及び前記カメラの撮像映像を表示する表示部を備えた複数のインターホン親機とを有するインターホンシステムであって、
前記カメラの撮像映像を保存する録画装置を備え、
前記インターホン子機は、呼び出し先の前記インターホン親機を選択して呼び出す子機操作部と、前記カメラが撮像した映像を呼出先の前記インターホン親機、及び前記録画装置に送信する子機制御部を有すると共に、
前記録画装置は、前記インターホン子機から送信された映像を呼出元インターホン子機及び呼出先インターホン親機の情報と共に保存する映像情報記憶部と、保存映像の一覧を作成する録画映像制御部とを有する一方、
前記インターホン親機は、前記録画装置に保存された映像の表示操作を行う親機操作部を備え、
前記録画映像制御部は、前記インターホン親機から映像表示操作を受けたら、当該インターホン親機を呼出先とした映像一覧を作成して前記インターホン親機に送信し、前記表示部に表示させることを特徴とするインターホンシステム。
【請求項２】
訪問先を呼び出して通話する機能及び来訪者を撮像するカメラを備えた複数のインターホン子機と、前記インターホン子機からの呼び出しに応答する機能及び前記カメラの撮像映像を表示する表示部を備えた複数のインターホン親機とを有するインターホンシステムであって、
前記カメラの撮像映像を録画する録画装置を備え、
前記インターホン子機は、呼び出し先の前記インターホン親機を選択して呼び出す子機操作部と、前記カメラが撮像した映像を呼出先の前記インターホン親機、及び前記録画装置に送信する子機制御部を有すると共に、
前記録画装置は、前記インターホン子機から送信された映像を呼出元インターホン子機の情報と共に保存する映像情報記憶部と、前記インターホン子機と前記インターホン親機とを関連付けた子機・親機テーブル記憶部と、保存映像の一覧を作成する録画映像制御部とを有する一方、
前記インターホン親機は、前記録画装置に録画された映像の表示操作を行う親機操作部を備え、
前記録画映像制御部は、前記インターホン親機から映像表示操作を受けたら、前記子機・親機テーブル記憶部に基づいて映像要求元のインターホン親機に関連付けられている映像一覧を作成して前記インターホン親機に送信し、前記表示部に表示させることを特徴とするインターホンシステム。
【請求項３】
前記親機操作部の操作で、録画映像の再生に加えて消去を実施でき、
前記録画映像制御部は、前記インターホン親機による録画映像の再生及び／又は消去操作が実施される場合に、操作を許可するためのパスワードの入力を要求すると共に、予め設定されたパスワードを記憶しており、
前記インターホン親機において所定のパスワードが入力されたら、前記録画した映像の再生／消去を可能とすることを特徴とする請求項１又は２記載のインターホンシステム。
【請求項４】
前記子機制御部は、前記インターホン親機及び前記録画装置へはマルチキャストで映像信号を送信することを特徴とする請求項１乃至３の何れかに記載のインターホンシステム。
【発明の詳細な説明】
【技術分野】
【０００１】
本発明はインターホンシステムに関し、特に呼出先が複数設定され、何れかを選択して呼び出すインターホンシステムに関する。
【背景技術】
【０００２】
複数の会社が入居しているテナントビルや、オフィスのエントランスにおいて部署別に呼び出したい場合に適したインターホンシステムとして、呼出先を選択できるシステムがある（例えば、特許文献１参照）。
このようなインターホンシステムでは、訪問先を呼び出すためのインターホン子機を１台或いは複数台設置すると共に、呼び出しに応答するためのインターホン親機を必要数設置して、インターホン子機において呼出先を選択して呼び出しを実施できた。
【先行技術文献】
【特許文献】
【０００３】
【特許文献１】特開２０１３−４２４５９号公報
【発明の概要】
【発明が解決しようとする課題】
【０００４】
しかしながら、上記インターホンシステムにおいて、来訪者映像をインターホン親機に表示できるシステムでは、個々のインターホン親機に録画のための映像記憶部が設けられているため、録画効率が悪く全体としてコストアップを招いていた。また、セキュリティの面で見ると、複数箇所でばらばらに録画されるため録画映像を一括管理できず、不審者を監視する場合、或いは特定したい場合等スムーズな閲覧ができなかった。
【０００５】
そこで、本発明はこのような問題点に鑑み、録画映像を一括管理可能とし、個々のインターホン親機に来訪者映像を録画するための記憶部を設けなくて済むインターホンシステムを提供することを目的としている。
【課題を解決するための手段】
【０００６】
上記課題を解決する為に、請求項１の発明は、訪問先を呼び出して通話する機能及び来訪者を撮像するカメラを備えた少なくとも１台のインターホン子機と、インターホン子機からの呼び出しに応答する機能及びカメラの撮像映像を表示する表示部を備えた複数のインターホン親機とを有するインターホンシステムであって、カメラの撮像映像を保存する録画装置を備え、インターホン子機は、呼び出し先のインターホン親機を選択して呼び出す子機操作部と、カメラが撮像した映像を呼出先のインターホン親機、及び録画装置に送信する子機制御部を有すると共に、録画装置は、インターホン子機から送信された映像を呼出元インターホン子機及び呼出先インターホン親機の情報と共に保存する映像情報記憶部と、保存映像の一覧を作成する録画映像制御部とを有する一方、インターホン親機は、録画装置に保存された映像の表示操作を行う親機操作部を備え、録画映像制御部は、インターホン親機から映像表示操作を受けたら、当該インターホン親機を呼出先とした映像一覧を作成してインターホン親機に送信し、表示部に表示させることを特徴とする。
この構成によれば、インターホン子機が撮像した来訪者映像の録画は録画装置が行うため、録画映像の一括管理ができセキュリティの向上に役立つ。そして、個々のインターホン親機に録画手段を設ける必要がない。また、インターホン親機において録画映像を再生する際には、先ずインターホン親機を呼出先とした録画映像の一覧が表示されるため、見たい映像をスムーズに表示させることができ録画映像を管理し易いし、他のインターホン親機を呼び出した際の映像を見ることはできないため、プライバシーを維持できる。
【０００７】
請求項２の発明は、訪問先を呼び出して通話する機能及び来訪者を撮像するカメラを備えた複数のインターホン子機と、インターホン子機からの呼び出しに応答する機能及びカメラの撮像映像を表示する表示部を備えた複数のインターホン親機とを有するインターホンシステムであって、カメラの撮像映像を録画する録画装置を備え、インターホン子機は、呼び出し先のインターホン親機を選択して呼び出す子機操作部と、カメラが撮像した映像を呼出先のインターホン親機、及び録画装置に送信する子機制御部を有すると共に、録画装置は、インターホン子機から送信された映像を呼出元インターホン子機の情報と共に保存する映像情報記憶部と、インターホン子機とインターホン親機とを関連付けた子機・親機テーブル記憶部と、保存映像の一覧を作成する録画映像制御部とを有する一方、インターホン親機は、録画装置に録画された映像の表示操作を行う親機操作部を備え、録画映像制御部は、インターホン親機から映像表示操作を受けたら、子機・親機テーブル記憶部に基づいて映像要求元のインターホン親機に関連付けられている映像一覧を作成してインターホン親機に送信し、表示部に表示させることを特徴とする。
この構成によれば、全てのインターホン子機が撮像した来訪者映像の録画は録画装置が行うため、録画映像の一括管理ができセキュリティの向上に役立つ。そして、個々のインターホン親機に録画手段を設ける必要がない。また、録画映像を再生する際にはインターホン親機に関連付けられているインターホン子機カメラの録画映像が選択されて一覧が表示されるので、特定のインターホン子機の全ての録画映像を同一のインターホン親機で確認でき、不審者の確認等し易くセキュリティの向上に役立つ。
また、１台のインターホン親機から全ての録画映像の閲覧はできないため、録画映像のプライバシーの維持に有効である。
【０００８】
請求項３の発明は、請求項１又は２に記載の構成において、親機操作部の操作で、録画映像の再生に加えて消去を実施でき、録画映像制御部は、インターホン親機による録画映像の再生及び／又は消去操作が実施される場合に、操作を許可するためのパスワードの入力を要求すると共に、予め設定されたパスワードを記憶しており、インターホン親機において所定のパスワードが入力されたら、録画した映像の再生／消去を可能とすることを特徴とする。
この構成によれば、録画映像の再生／消去にはパスワードの入力が必要なため、第３者に閲覧されたり消去される事態を防止でき、プライバシーの保護を図ることができる。
【０００９】
請求項４の発明は、請求項１乃至３の何れかに記載の構成において、子機制御部は、インターホン親機及び録画装置へはマルチキャストで映像信号を送信することを特徴とする。
この構成によれば、同時に２箇所に映像信号を送信するが、送信するデータ量を最小限に留めることができ、他の通信に影響を及ぼすようなことがない。
【発明の効果】
【００１０】
本発明によれば、来訪者映像の録画は録画装置が一括して行うため、個々のインターホン親機に録画手段を設ける必要がない。また、録画映像を再生する際に先ずインターホン親機を呼出先とした録画映像の一覧、又はインターホン親機に関連付けられている録画映像の一覧が表示されるため、見たい映像をスムーズに表示させることができる。更に、来訪者映像を一括管理することが可能となり、セキュリティの向上に役立つ。
【図面の簡単な説明】
【００１１】
【図１】本発明に係るインターホンシステムの一例を示す構成図であり、各機器を回路ブロック図で示している。
【図２】インターホン親機に表示される映像一覧を示す説明図である。
【図３】インターホン子機とインターホン親機の関連付けの一例を示す説明図である。
【発明を実施するための形態】
【００１２】
以下、本発明を具体化した実施の形態を、図面を参照して詳細に説明する。図１は本発明に係るインターホンシステムの一例を示す構成図であり、１は訪問先を選択して呼び出すためのインターホン子機（以下、単に「子機」と称する。）、２は子機１からの呼び出しに応答するためのインターホン親機（以下単に「親機」と称する。）、３は子機１から送信される映像を録画する録画装置であり、子機１及び親機２を複数備え、機器間はＬＡＮ等の汎用通信ネットワーク４を介して接続されている。
【００１３】
子機１は、親機２を選択して呼出操作する子機操作部１１、通話する為のマイク１２とスピーカ１３、訪問者を撮像するためのカメラ１４、子機１を制御する子機ＣＰＵ１５、汎用通信ネットワーク４を介して親機２等と通信するための子機通信ＩＦ１６等を備えている。
【００１４】
親機２は、映像表示操作等各種操作を行うタッチパネル等で構成される親機操作部２１、呼び出しに応答するための通話ボタン２２、通話するためのマイク２３及びスピーカ２４と、映像等を表示する表示部２５、親機２を制御する親機ＣＰＵ２６、汎用通信ネットワーク４を介して子機１等と通信するための親機通信ＩＦ２７等を備えている。
【００１５】
録画装置３は、子機カメラ１４の撮像映像の録画に加えて、親機２のアクセスを許可するためのパスワードを保存する記憶部３１、録画装置３を制御する録画装置ＣＰＵ３２、汎用通信ネットワーク４を介して子機１及び親機２等と通信するための録画装置通信ＩＦ３３等を備えている。
【００１６】
上記の如く構成されたインターホンシステムの動作は以下の様である。訪問者等の操作者により、子機１の子機操作部１１が操作されて呼出先の親機２が選択されて呼出操作が行われる。例えば、オフィスビルであれば、訪問先の部署等が選択され、呼出先の親機２が選択されたら図示しない呼出ボタンを押下することで、子機ＣＰＵ１５の制御により選択した親機２に対して呼出信号が送信される。
また、子機ＣＰＵ１５は、呼出ボタン操作を受けてカメラ１４を起動し、撮像映像を親機２と録画装置３に送信する。このとき、子機ＣＰＵ１５が親機２及び録画装置３に送信する映像信号には、送信元子機１を識別するための子機ＩＤ情報、及び呼出先の親機２を識別するための親機ＩＤ情報が添付され、マルチキャストにより送信される。
【００１７】
呼出信号を受信した親機２は、親機ＣＰＵ２６の制御によりスピーカ２４から呼出音が報音され、受信した映像が表示部２５で表示される。
この呼び出しを認識した応答者により、通話ボタン２２が操作されると通話路が子機１との間で形成され、応答者は表示部２５に表示されている訪問者の映像をみながら通話を実施できる。その後、所定の終話操作が成されると通話路は切断されて映像の表示も終了する。
【００１８】
一方、映像信号を受信した録画装置３は、録画装置ＣＰＵ３２の制御により記憶部３１に録画される。尚、このとき映像信号に添付されている子機ＩＤ情報、親機ＩＤ情報も合わせて記憶部３１に記憶される。この録画は、子機１から映像信号の送信終了を受けて、即ち親機２の終話操作を受けて終了する。
【００１９】
こうして録画装置３に録画された映像は、親機２により閲覧／消去することができる。待受け状態の親機２において、親機操作部２１の所定の閲覧操作が成されると、親機ＣＰＵ２６が一覧要求信号を録画装置３に送信する。
一覧要求信号を受信した録画装置３は、録画装置ＣＰＵ３２が当該信号送信元の親機２に関連付けられている映像情報を親機ＩＤを基に記憶部３１から読み取り、その録画映像の一覧を作成して親機２に送信する。この一覧情報を受信した親機２は、表示部２５に一覧を表示する。
図２は、表示部２５に表示された一覧の説明図であり、親機２を呼び出した子機のＩＤ情報と呼び出した日時情報（録画日時情報）の一覧情報が表示されている。
【００２０】
この表示を受けて、表示一覧から閲覧したい映像の欄をタッチパネルで選択して所定の表示操作が成されると、選択表示信号が録画装置３に送信される。この選択表示信号を受信した録画装置ＣＰＵ３２は、パスワード要求信号を返信し、パスワード入力画面が表示部２５に表示される。
このパスワード入力画面に、操作者がタッチパネル操作等で予め登録されているパスワードを入力すると、録画装置ＣＰＵ３２がそれを照合し、一致すれば選択された映像が記憶部３１から読み取られて親機２に送信される。こうして親機２では、受信した映像が表示部２５に表示される。
【００２１】
録画映像の消去は、閲覧と同様の操作で実施でき、具体的に次のように行われる。まず、録画映像を閲覧する場合と同様に一覧情報を表示部２５に表示させる。表示されている状態で一覧の中から消去したい欄をタッチパネルで選択して所定の消去操作すると、選択消去信号が録画装置３に送信される。この選択消去信号を受信した録画装置ＣＰＵ３２は、上記映像表示制御と同様にパスワード要求信号を返信し、パスワード入力画面が表示部２５に表示される。このパスワード入力画面に、パスワードを入力することで選択された映像が記憶部３１から消去される。
【００２２】
このように、子機１が撮像した来訪者映像の録画は録画装置３が行うため、録画映像の一括管理ができセキュリティの向上に役立つ。そして、個々の親機２に録画手段を設ける必要がない。また、親機２において録画映像を再生する際には、先ず親機２を呼出先とした録画映像の一覧が表示されるため、見たい映像をスムーズに表示させることができ録画映像を管理し易いし、他の親機２を呼び出した際の映像を見ることはできないため、プライバシーを維持できる。
また、録画映像の再生／消去には、パスワードの入力が必要であるため、第３者に閲覧されたり消去される事態を防止でき、プライバシーの保護を図ることができる。
更に、同時に２箇所に映像信号を送信するが、映像はマルチキャストで送信されるため、送信するデータ量を最小限に留めることができ、他の通信に影響を及ぼすようなことがない。
【００２３】
尚、録画装置３の録画映像の閲覧／消去は、別途パーソナルコンピュータ等から成る専用の録画映像操作手段を接続することでも実施でき、複数の親機２が設置されていても来訪者映像を一括管理することができ、セキュリティの向上に有効である。
また、上記形態は子機１及び親機２の双方が複数の場合を説明したが、子機１が１台で親機２が複数のシステムであっても録画装置３により一括して録画する上記システムは良好に適用でき、親機２を複数備えたシステムにおいて良好に適用できる。
【００２４】
次に、本願発明のインターホンシステムの他の例を説明する。上記構成とは、録画映像一覧の作成形態が異なり、親機２が映像を入手できる子機１が予め決められている点が相違している。以下、子機１及び親機２を複数備えたシステム構成は上記図１と同様であるため説明を省略し、録画映像一覧を表示させる動作を中心に説明する。
録画装置３の記憶部３１には、個々の親機２が映像を入手できる子機１のテーブルが記憶されており、図３はこのテーブルの一例を示している。具体的に、図３は子機１及び親機２をそれぞれ５台備えた構成において、子機１毎に関連付けられている親機２の一覧を示している。
【００２５】
子機１において親機２が選択されて呼出操作が発生すると、上記形態と同様にカメラ１４の撮像映像が呼出先の親機２及び録画装置３に送信される。このとき、録画装置３に送信される映像信号には、呼出元の子機ＩＤが添付されている。
映像信号を受信した録画装置ＣＰＵ３２は、記憶部３１に映像を録画すると共に添付されている子機ＩＤを保存する。その後、通話が終了してカメラ１４からの映像の出画が終了したら、上記形態と同様に録画も終了する。
【００２６】
こうして録画された映像に対して、親機２の親機操作部２１の所定の閲覧操作が成されると、親機ＣＰＵ２６が一覧要求信号を録画装置３に送信する。一覧要求信号を受信した録画装置ＣＰＵ３２は、要求元の親機ＩＤに関連付けられている子機１を記憶部３１から読み取り、関連付けられている子機１のカメラ１４の撮像映像の一覧を作成して親機２に送信する。
例えば、親機ＩＤ「１」の親機２から閲覧要求があると、図３からＩＤ「１」「２」「３」の子機１が呼出操作を受けた際に録画された映像の一覧が作成されて親機２に送信され、表示部２５に表示される。こうして、親機２には上記図２と同様な一覧が表示される。
この表示を受けて、親機２では上記同様の操作を行い、パスワードを入力することで、記憶部３１に記憶された映像が親機２の表示部２５に表示される。
【００２７】
このように、録画映像を再生する際には親機２に関連付けられている子機１のカメラ１４の録画映像が選択されて一覧が表示されるので、特定の子機１の全ての録画映像を同一の親機２で確認でき、不審者の確認等し易くセキュリティの向上に役立つ。
また、１台の親機２から全ての録画映像の閲覧はできないため、録画映像のプライバシーの維持に有効である。
【００２８】
尚、上記実施形態はオフィスビルに設置された場合を例に説明したが、本発明のインターホンシステムは、一般住宅のインターホンにも適用でき、２世帯住宅のように世帯を選択して呼び出す機能を設けたい場合等好適である。
【符号の説明】
【００２９】
１・・インターホン子機、２・・インターホン親機、３・・録画装置、４・・汎用通信ネットワーク、１１・・子機操作部、１４・・カメラ、１５・・子機ＣＰＵ（子機制御部）、２１・・親機操作部、２５・・表示部、２６・・親機ＣＰＵ、３１・・記憶部（映像情報記憶部、子機・親機テーブル記憶部、パスワード記憶部）、３２・・録画装置ＣＰＵ（録画映像制御部）。
【図１】
2015041916.tif 000003
【図２】
2015041916.tif 000004
【図３】
2015041916.tif 000005